(57)【要約】【課題】ユーザの煩雑な操作を必要とすることなく速やかに擬似通話を行うことができる擬似通話装置及び方法を提供する。【解決手段】携帯電話機１は、擬似通話を実現する擬似通話部２５ａと、擬似通話の開始を指示する擬似通話キーを有するキー操作部１６と、擬似通話キーが操作された場合に、擬似的な着信音を発生させることなく擬似通話を擬似通話部２５ａに実現させる起動制御を行う制御部２５とを備える。ここで、上記の擬似通話キーは、単独のキーとして設けられていても良く、操作部１６に設けられている既存のキー（例えば、通話キー）に兼ね備えられていても良い。【選択図】図２
2011009944.tif 000002
【特許請求の範囲】
【請求項１】
擬似通話を実現する擬似通話部と、
前記擬似通話の開始を指示する擬似通話キーを有する操作部と、
前記擬似通話キーが操作された場合に、擬似的な着信音を発生させることなく前記擬似通話を前記擬似通話部に実現させる起動制御を行う制御部と
を備えることを特徴とする擬似通話装置。
【請求項２】
前記操作部は、通話先との通話を指示する通話キーとは別に、前記擬似通話キーを備えることを特徴とする請求項１記載の擬似通話装置。
【請求項３】
前記操作部は、前記通話キー及び前記擬似通話キーに加えて、通話先と通話を行うための電話番号を入力する番号入力キーを備えており、
前記制御部は、前記番号入力キーが操作されている途中で前記擬似通話キーが操作された場合に前記起動制御を行う
ことを特徴とする請求項２記載の擬似通話装置。
【請求項４】
前記操作部の操作に応じて通話を行うべき通話先を選択する通話先選択部を備えており、
前記制御部は、前記通話先選択部で通話を行うべき通話先が選択されている状態で前記擬似通話キーが操作された場合に前記起動制御を行う
ことを特徴とする請求項２記載の擬似通話装置。
【請求項５】
前記制御部は、前記擬似通話部による擬似通話が実現されている状態で、前記通話キーが操作された場合には、前記起動制御時に前記通話先選択部で選択された通話先との通話を実現させる制御を行うことを特徴とする請求項４記載の擬似通話装置。
【請求項６】
前記操作部は、通話先との通話を指示するキーであって前記擬似通話キーを兼ねる通話キーを備えることを特徴とする請求項１記載の擬似通話装置。
【請求項７】
前記操作部の操作に応じて通話を行うべき通話先を選択する通話先選択部を備えており、
前記制御部は、前記通話先選択部で通話を行うべき通話先が選択されている状態で前記通話キーが操作された場合には、前記通話先選択部で選択された通話先が、通話を行うことなく擬似通話を行うことが許可される許可通話先であるときにのみ前記起動制御を行う
ことを特徴とする請求項６記載の擬似通話装置。
【請求項８】
前記許可通話先を示す許可情報を、通話先の電話番号とは別に記憶する記憶部を備えており、
前記制御部は、前記通話先選択部で選択された通話先が前記許可情報に含まれている場合に、選択された通話先が前記許可通話先であると判断する
ことを特徴とする請求項７記載の擬似通話装置。
【請求項９】
前記許可通話先を示す許可情報を、通話先の電話番号に対応付けて記憶する記憶部を備えており、
前記制御部は、前記通話先選択部で選択された通話先の電話番号に前記許可情報が対応付けられている場合に、選択された通話先が前記許可通話先であると判断する
ことを特徴とする請求項７記載の擬似通話装置。
【請求項１０】
前記制御部は、前記擬似通話部による擬似通話が実現されている状態で、前記通話キーが操作された場合には、前記起動制御時に前記通話先選択部で選択された通話先との通話を実現させる制御を行うことを特徴とする請求項７から請求項９の何れか一項に記載の擬似通話装置。
【請求項１１】
擬似通話の開始を指示する擬似通話キーが操作されたか否かを判断する判断ステップと、
前記擬似通話キーが操作されたと判断した場合に、擬似的な着信音を発生させることなく前記擬似通話を実現させる起動制御を行う制御ステップと
を有することを特徴とする擬似通話方法。
【発明の詳細な説明】
【技術分野】
【０００１】
本発明は、擬似通話装置及び方法に関する。
【背景技術】
【０００２】
擬似通話装置は、実際の通話を行うことなく擬似的に通話を装うための装置であり、例えば携帯電話機等の携帯性を有する電子機器に設けられる。携帯電話機等を用いて通話が行われている状況下においては、そのユーザは異常が生じた旨や現在の場所を相手方に即座に伝えることができるため、そのユーザに危害を加えようとする者が思い留まることによって犯罪の発生が抑制される。携帯電話機等の電子機器に擬似通話装置を設けることで、通話相手が居ない状況下においても通話を装うことができるため、防犯効果を高めることができる。
【０００３】
以下の特許文献１には、擬似通話装置を備える携帯電話機の一例が開示されている。具体的には、擬似通話に関する複数の操作部（擬似着信操作部、擬似応答操作部、及び擬似切断操作部）を備えており、携帯電話機の動作モードが防犯モードに設定されている場合に、ユーザによって擬似着信操作部が操作されると着信音（擬似的な着信音）を発生させ、その後ユーザによって擬似応答操作部が操作されると着信音の発生を停止して擬似通話の状態になり、その後にユーザによって擬似切断操作部が操作されると擬似通話を終了させる携帯電話機が開示されている。
【先行技術文献】
【特許文献】
【０００４】
【特許文献１】特開２００２−３４４５７９号公報
【発明の概要】
【発明が解決しようとする課題】
【０００５】
ところで、上述した通り、上記の特許文献１に開示された携帯電話機で擬似通話を行うためには、ユーザはまず擬似的な着信音を発生させるための操作（擬似着信操作部の操作）を行う必要があり、その操作によって着信音が発生した後に擬似応答操作部を操作することによって初めて擬似通話の状態になる。このように、従来は、擬似通話の状態にするために多くの操作が必要になり、迅速に擬似通話を行うことができないという問題があった。
【０００６】
本発明は、上記事情に鑑みてなされたものであり、ユーザの煩雑な操作を必要とすることなく速やかに擬似通話を行うことができる擬似通話装置及び方法を提供することを目的とする。
【課題を解決するための手段】
【０００７】
上記課題を解決するために、本発明の擬似通話装置は、擬似通話を実現する擬似通話部と、前記擬似通話の開始を指示する擬似通話キーを有する操作部と、前記擬似通話キーが操作された場合に、擬似的な着信音を発生させることなく前記擬似通話を前記擬似通話部に実現させる起動制御を行う制御部とを備えることを特徴としている。
また、本発明の擬似通話装置は、前記操作部が、通話先との通話を指示する通話キーとは別に、前記擬似通話キーを備えることを特徴としている。
また、本発明の擬似通話装置は、前記操作部が、前記通話キー及び前記擬似通話キーに加えて、通話先と通話を行うための電話番号を入力する番号入力キーを備えており、前記制御部は、前記番号入力キーが操作されている途中で前記擬似通話キーが操作された場合に前記起動制御を行うことを特徴としている。
また、本発明の擬似通話装置は、前記操作部の操作に応じて通話を行うべき通話先を選択する通話先選択部を備えており、前記制御部は、前記通話先選択部で通話を行うべき通話先が選択されている状態で前記擬似通話キーが操作された場合に前記起動制御を行うことを特徴としている。
また、本発明の擬似通話装置は、前記制御部が、前記擬似通話部による擬似通話が実現されている状態で、前記通話キーが操作された場合には、前記起動制御時に前記通話先選択部で選択された通話先との通話を実現させる制御を行うことを特徴としている。
また、本発明の擬似通話装置は、前記操作部が、通話先との通話を指示するキーであって前記擬似通話キーを兼ねる通話キーを備えることを特徴としている。
また、本発明の擬似通話装置は、前記操作部の操作に応じて通話を行うべき通話先を選択する通話先選択部を備えており、前記制御部は、前記通話先選択部で通話を行うべき通話先が選択されている状態で前記通話キーが操作された場合には、前記通話先選択部で選択された通話先が、通話を行うことなく擬似通話を行うことが許可される許可通話先であるときにのみ前記起動制御を行うことを特徴としている。
また、本発明の擬似通話装置は、前記許可通話先を示す許可情報を、通話先の電話番号とは別に記憶する記憶部を備えており、前記制御部は、前記通話先選択部で選択された通話先が前記許可情報に含まれている場合に、選択された通話先が前記許可通話先であると判断することを特徴としている。
また、本発明の擬似通話装置は、前記許可通話先を示す許可情報を、通話先の電話番号に対応付けて記憶する記憶部を備えており、前記制御部は、前記通話先選択部で選択された通話先の電話番号に前記許可情報が対応付けられている場合に、選択された通話先が前記許可通話先であると判断することを特徴としている。
また、本発明の擬似通話装置は、前記制御部が、前記擬似通話部による擬似通話が実現されている状態で、前記通話キーが操作された場合には、前記起動制御時に前記通話先選択部で選択された通話先との通話を実現させる制御を行うことを特徴としている。
本発明の擬似通話方法は、擬似通話の開始を指示する擬似通話キーが操作されたか否かを判断する判断ステップと、前記擬似通話キーが操作されたと判断した場合に、擬似的な着信音を発生させることなく前記擬似通話を実現させる起動制御を行う制御ステップとを有することを特徴としている。
【発明の効果】
【０００８】
本発明によれば、ユーザが操作部に設けられたキーに対する煩雑な操作をすることなく速やかに擬似通話を行うことができるという効果がある。
【図面の簡単な説明】
【０００９】
【図１】本発明の第１実施形態による擬似通話装置を備える携帯電話機の外観斜視図である。
【図２】携帯電話機１の要部構成を示すブロック図である。
【図３】本発明の第１実施形態による擬似通話方法を示すフローチャートである。
【図４】本発明の第１実施形態による擬似通話方法における表示画面の変遷例を示す図である。
【図５】本発明の第２実施形態において、メモリ２４に記憶される許可情報を示す図である。
【図６】本発明の第２実施形態による擬似通話方法を示すフローチャートである。
【図７】本発明の第２実施形態による擬似通話方法における表示画面の変遷例を示す図である。
【発明を実施するための形態】
【００１０】
以下、図面を参照して本発明の実施形態による擬似通話装置及び方法について詳細に説明する。尚、本実施形態では、擬似通話装置が携帯電話機に設けられた態様について説明する。
【００１１】
〔第１実施形態〕
図１は、本発明の第１実施形態による擬似通話装置を備える携帯電話機の外観斜視図である。図１に示す通り、携帯電話機１は、第一筐体１１、第一筐体１１の厚さ方向に重ね合わせ可能な第二筐体１２、及び第一筐体１１と第二筐体１２とを相互に折り畳み自在に連結するヒンジ部１３を備えている。ヒンジ部１３は、第一筐体１１の基端部１１ａと第二筐体１２の基端部１２ａとを連結するように配されている。
【００１２】
第二筐体１２の内部には、各種情報を表示する表示領域１４ａを有するＬＣＤ（Liquid Crystal Display：液晶表示装置）又はＥＬ（Electro Luminescence：有機ＥＬ）ディスプレイ等からなる表示部１４及び通話用のスピーカ１５が設けられている。表示部１４の表示領域１４ａは、第一筐体１１と第二筐体１２とを相互に重ね合わせた状態において第一筐体１１に対向する第二筐体１２の表面１２ｃ側に露出している。スピーカ１５は、基端部１２ａとは反対側に位置する第二筐体１２の先端部１２ｂに配されており、第二筐体１２の表面１２ｃから第二筐体１２の内部空間に貫通する開口部１２ｄを介して外方に露出している。
【００１３】
第一筐体１１の内部には、テンキー１６ａ（番号入力キー）、通話キー１６ｂ、終話キー１６ｃ、多方向キー１６ｄ、及び擬似通話キー１６ｅ等の各種の押下操作可能な複数の操作キーを備えるキー操作部１６及び通話用のマイクロフォン１７が設けられている。尚、図１では、擬似通話キー１６ｅが通話キー１６ｂの近傍に配置されている例を図示しているが、通常の通話を行う場合と同様の操作感が得られるのであれば、擬似通話キー１６ｅが配置される位置は必ずしも通話キー１６ｂの近傍でなくても良い。尚、上記の終話キー１６ｃは携帯電話機１の電源をオン（投入）又はオフ（切断）するための電源キーとしても用いられる。キー操作部１６は、第一筐体１１と第二筐体１２とを相互に重ね合わせた状態において第二筐体１２に対向する第一筐体１１の表面１１ｃから外方に露出している。
【００１４】
マイクロフォン１７は、基端部１１ａとは反対側に位置する第一筐体１１の先端部１１ｂに配されており、第一筐体１１の表面１１ｃから第一筐体１１の内部空間に貫通する開口部１１ｄを介して外方に露出している。尚、第一筐体１１の内部には、キースイッチ、シールドケース、回路基板、及びバッテリー（何れも不図示）等が重ねて配されている。また、第一筐体１１内部の先端部１１ｂ側には、無線通信用のアンテナ２１（図２参照）が収容されている。
【００１５】
図２は、携帯電話機１の要部構成を示すブロック図である。図２に示す通り、携帯電話機１は、図１を用いて説明したスピーカ１５、マイクロフォン１７、キー操作部１６（操作部）、及び表示部１４に加えて、アンテナ２１、無線通信部２２、タイマ部２３、メモリ２４（記憶部）、及び制御部２５を備えており、無線通信ネットワーク（図示省略）を介した通話及び通信のみならず、通話を行うことなく擬似的に通話を装う擬似通話が可能である。
【００１６】
無線通信部２２は、アンテナ２１を介して無線通信ネットワークの一部をなす基地局（図示省略）との間で無線信号の送受信を行うことで、その無線通信ネットワークを利用する他の携帯電話機のユーザとの間の通話を実現するものである。尚、この無線通信部２２は、他のユーザとの間の通話のみならず、電子メールの送受信やホームページの閲覧等も実現可能である。
【００１７】
タイマ部２３は時刻を計時するものであり、現在時刻を示す情報を制御部２５に出力する。また、タイマ部２３は、制御部２５によって指示された時間を指示されたタイミングで計時し、計時を終了した場合にはその旨を示す信号を制御部２５に出力する。メモリ２４は、文字、記号、画像等の各種情報、携帯電話機１の各種機能を実現するプログラム、いわゆるアドレス帳（ユーザ毎の氏名、電話番号、電子メールアドレス等を示す情報）、及び擬似通話のために用いられる音声データを記憶するものであり、例えば不揮発性の半導体メモリによって実現される。
【００１８】
制御部２５は、図２に示す各ブロックを制御することにより、携帯電話機１の動作を統括的に制御する。例えば、携帯電話機１のユーザによるキー操作部１６の操作に応じて、無線通信部２２を制御することによって通話又は通信を実現する。この制御部２５は、携帯電話機１のユーザが擬似的に通話を装う擬似通話を実現する擬似通話部２５ａと、キー操作部１６の操作に応じて通話を行うべき他のユーザを選択するユーザ選択部２５ｂ（通話先選択部）を備える。尚、ユーザ選択部２５ｂによって、アドレス帳の機能が実現される。
【００１９】
擬似通話部２５ａは、携帯電話機１のユーザがキー操作部１６に設けられた擬似通話キー１６ｅを操作して擬似通話機能を動作させる指示を行った場合に、メモリ２４に記憶された音声データを読み出してスピーカ１５に出力することにより擬似通話を実現する。ここで、本実施形態では、擬似通話キー１６ｅが操作された場合に、擬似的な着信音を発生させることなく擬似通話部２５ａに擬似通話を実現させる起動制御が制御部２５によって行われる。これは、ユーザの煩雑な操作を必要とすることなく速やかに擬似通話を実現するためである。
【００２０】
ユーザ選択部２５ｂは、メモリ２４に記憶されているアドレス帳を読み出してアドレス帳に登録されているユーザの一覧を表示部１４に表示する。そして、ユーザによるキー操作部１６の操作（例えば、多方向キー１６ｄの操作）に応じて、表示部１６に表示されているユーザの中から通話を行うべきユーザ、或いは電子メールを送信すべきユーザを選択する。
【００２１】
次に、上記構成における携帯電話機１の動作について説明する。図３は本発明の第１実施形態による擬似通話方法を示すフローチャートであり、図４は同擬似通話方法における表示画面の変遷例を示す図である。まず、図４に示す通り、携帯電話機１の表示部１４に待ち受け画面Ｗ１０が表示されている状態でユーザがテンキー１６ａを操作すると表示部１４には電話番号入力画面Ｗ１１が表示される。これに対し、待ち受け画面Ｗ１０が表示されている状態でユーザがキー操作部１６を操作してアドレス帳の機能を実現させる指示を行うと、表示部１４にはアドレス帳画面Ｗ１２が表示される。図３に示す処理は、表示部１４に電話番号入力画面Ｗ１１又はアドレス帳画面Ｗ１２が表示された場合に開始される。以下、各々の画面が表示された場合に行われる動作について順に説明する。
【００２２】
〈電話番号入力画面Ｗ１１が表示された場合の動作〉
携帯電話機１の表示部１４に電話番号入力画面Ｗ１１が表示されたとすると、まず擬似通話キー１６ｅが押下されたか否かが制御部２５で判断される（ステップＳ１１：判断ステップ）。この判断結果が「ＮＯ」である場合には、ステップＳ１１の処理が繰り返される。これに対し、ユーザによって擬似通話キー１６ｅが押下されると、ステップＳ１１の判断結果は「ＹＥＳ」になり、制御部２５の制御の下で擬似通話部２５ａによる擬似通話処理が開始される（ステップＳ１２：制御ステップ）。具体的には、擬似的な着信音を発生させることなく、メモリ２４に記憶されている音声データを読み出し、読み出した音声データをアナログ信号に変換し、変換したアナログ信号をスピーカ１５に出力する処理が行われる。
【００２３】
以上の処理により、スピーカ１５からは音声データに基づいた擬似通話のための音声が出力されて擬似通話が開始される。擬似通話が開始されると、携帯電話機１の表示部１４には、図４に示す音声通話中画面Ｗ１３が表示される。この音声通話中画面Ｗ１３では、擬似通話中である旨を示す「擬似通話中」なる表示がなされるとともに、電話番号入力画面Ｗ１１の表示中に入力された電話番号（図４に示す例では、「０９０２２２２２２２２」）が表示される。
【００２４】
擬似通話が行われている間は、通話キー１６ｂが押下されたか否かが制御部２５によって判断される（ステップＳ１３）。この判断結果が「ＮＯ」である場合には、擬似通話処理が継続される（ステップＳ１２）。これに対し、ユーザが通話キー１６ｂを押下すると、ステップＳ１３の判断結果が「ＹＥＳ」になり、電話番号が入力されているか否かが制御部２５によって判断される（ステップＳ１４）。この判断結果が「ＮＯ」である場合には、擬似通話処理が継続される（ステップＳ１２）。
【００２５】
一方、図４中の音声通話中画面Ｗ１３に示す通り、既に通話相手の電話番号が入力されている場合には、ステップＳ１４の判断結果が「ＹＥＳ」になり、制御部２５の制御の下で、無線通信部２２による発呼処理が行われる（ステップＳ１５）。発呼処理が行われている間は、図４に示す発信画面Ｗ１４が携帯電話機１の表示部１４に表示される。図４に示す例では、発呼中である旨を示す「Ｃａｌｌｉｎｇ．．．」なる表示と、発呼を行っている電話番号（図４に示す例では、「０９０２２２２２２２２」）が表示される。
【００２６】
無線通信部２２による発呼処理が行われている最中は、制御部２５は相手からの応答（発呼に対する応答）の有無を判断する（ステップＳ１６）。相手からの応答が無い場合（判断結果が「ＮＯ」の場合）には、擬似通話処理が継続される（ステップＳ１２）。これに対し、相手からの応答があった場合（判断結果が「ＹＥＳ」の場合）には、制御部２５の制御の下で、実際の通話を行うための通話処理が無線通信部２２で行われる（ステップＳ１７）。尚、実際の通話が可能な状態になると、図４に示す音声通話中画面Ｗ１５が表示部１４に表示される。
【００２７】
〈アドレス帳画面Ｗ１２が表示された場合の動作〉
携帯電話機１の表示部１４にアドレス帳画面Ｗ１２が表示されている場合にも、まず擬似通話キー１６ｅが押下されたか否かが制御部２５で判断される（ステップＳ１１）。擬似通話キー１６ｅが押下されるとステップＳ１１の判断結果が「ＹＥＳ」になり、擬似通話部２５ａで擬似的な着信音を発生させることなしに擬似通話処理が行われ（ステップＳ１２）、図４に示す音声通話中画面Ｗ１３が表示部１４に表示される。ここで、擬似通話キー１６ｅが押下された時点で選択されていたユーザ（図４に示すアドレス帳画面Ｗ１２中で斜線が付してあるユーザ）の電話番号が音声通話中画面Ｗ１３に表示されている点に注意されたい。
【００２８】
擬似通話の最中に、ユーザが通話キー１６ｂを押下すると、ステップＳ１３の判断結果が「ＹＥＳ」になり、電話番号が入力されているか否かが制御部２５によって判断される（ステップＳ１４）。ここで、上述した通り、音声通話中画面Ｗ１３には、擬似通話キー１６ｅが押下された時点で選択されていたユーザの電話番号が表示されているため、ステップＳ１４の判断結果が「ＹＥＳ」になり、無線通信部２２による発呼処理が行われ（ステップＳ１５）、発信画面Ｗ１４が表示部１４に表示される。
【００２９】
そして、この発呼に対する相手からの応答があった場合には、ステップＳ１６の判断結果が「ＹＥＳ」になり、制御部２５の制御の下で無線通信部２２による通話処理が行われ（ステップＳ１７）、図４中の音声通話中画面Ｗ１５が表示部１４に表示される。尚、図４に示す通り、アドレス帳画面Ｗ１２が表示部１４に表示されているときに、ユーザが通話キー１６ｂを押下すれば、制御部２５の制御の下で無線通信部２２による発呼処理が行われ、表示部１４には発信画面Ｗ１４が表示され、相手からの応答があれば、実際の通話を行うことができる。
【００３０】
〔第２実施形態〕
次に、本発明の第２実施形態について説明する。本実施形態による擬似通話装置を備える携帯電話機の外観及び内部構成は、第１実施形態で説明した携帯電話機１とほぼ同様である。但し、本実施形態では、図１に示す擬似通話キー１６ｅが省略されて通話キー１６ｂが擬似通話キー１６ｅを兼ね備えている点、及び携帯電話機で行われる動作が若干相違する。
【００３１】
第１実施形態のように、通話キー１６ｂとは別に擬似通話キー１６ｅが設けられている場合には、ユーザが通話キー１６ｂを操作すれば通常の通話を行うことができ、擬似通話キー１６ｅを操作すれば擬似通話を行うことができる。これに対し、通話キー１６ｂが擬似通話キー１６ｅを兼ね備えている場合には、通話キー１６ｂを操作するユーザが通常の通話を意図しているのか、或いは擬似通話を意図しているのかが不明となる。
【００３２】
本実施形態では、擬似通話が許可されるユーザを示す許可情報を予めメモリ２４に登録しておき、ユーザ選択部２５ｂで選択されたユーザが許可情報で示されるユーザである場合には擬似通話を実行し、許可情報に示されていないユーザである場合には通常の通話を実行するようにしている。図５は、本発明の第２実施形態において、メモリ２４に記憶される許可情報を示す図である。許可情報は、図５（ａ）に示す通りユーザ選択部２５ｂで用いられるアドレス帳とは別に記憶されても良く、図５（ｂ）に示す通りアドレス帳に組み込まれた状態で記憶されても良い。
【００３３】
図５（ａ）に示す通り、アドレス帳は、ユーザを特定するＩＤ（識別子）とユーザの電話番号とをユーザ毎に対応付けて記憶したものである。尚、図５では図示を簡略化しているが、アドレス帳には、ＩＤ及び電話番号以外に、ユーザの氏名、電子メールアドレス等を示す情報もユーザ毎に対応付けられて記憶される。許可情報がアドレス帳とは別に記憶される態様では、図５（ａ）に示す通り、擬似通話を許可するユーザのＩＤの一覧が許可情報として記憶される。
【００３４】
これに対し、許可情報がアドレス帳に組み込まれる態様では、図５（ｂ）に示す通り、ユーザのＩＤ毎に擬似通話が許可されるユーザであるか否かを示すフラグ情報が許可情報として記憶される。値が「１」のフラグ情報が対応付けられているユーザは擬似通話が許可されたユーザを意味し、値が「０」のフラグ情報が対応付けられているユーザは擬似通話が許可されないユーザを意味する。
【００３５】
次に、本実施形態の携帯電話機の動作について説明する。図６は本発明の第２実施形態による擬似通話方法を示すフローチャートであり、図７は同擬似通話方法における表示画面の変遷例を示す図である。まず、携帯電話機の表示部１４に待ち受け画面が表示されている状態でユーザがキー操作部１６を操作してアドレス帳の機能を実現させる指示を行うと、ユーザ選択部２５ｂによってメモリ２４に記憶されたアドレス帳及び許可情報が読み出され、表示部１４には図７に示すアドレス帳画面Ｗ２１が表示される。
【００３６】
ここで、図７に示す通り、アドレス帳画面Ｗ２１には、図４に示すアドレス帳画面Ｗ１２と同様にユーザのＩＤ、氏名、及び電話番号の一覧が表示されるとともに、許可情報が登録されているユーザに対しては、通話を行うことなく擬似通話を行うことが許可されるユーザ（許可通話先）である旨を示す「擬似」なる表示がなされる。図７に示す例では、ＩＤが「００２」であるユーザに対して「擬似」なる表示Ｄ１がなされている。尚、擬似通話が許可されている旨の表示は、以上の「擬似」なる文字の表示以外に、文字や図形を用いた任意の表示にすることができる。
【００３７】
携帯電話機１の表示部１４にアドレス帳画面Ｗ２１が表示されている状態において、まず通話キー１６ｂが押下されたか否かが制御部２５で判断される（ステップＳ２１：判断ステップ）。この判断結果が「ＮＯ」である場合には、ステップＳ２１の処理が繰り返される。これに対し、ユーザによって通話キー１６ｂが押下されると、ステップＳ２１の判断結果は「ＹＥＳ」になり、ユーザ選択部２５ｂで選択されたユーザが、擬似通話が許可されたユーザ（許可情報が登録されたユーザ）であるか否かが判断される（ステップＳ２２）。
【００３８】
つまり、許可情報が図５（ａ）に示す態様でメモリ２４に記憶されている場合には、ユーザ選択部２５ｂで選択されたユーザのＩＤが許可情報に含まれているか否かが判断される。これに対し、許可情報が図５（ｂ）に示す態様でメモリ２４に記憶されている場合には、ユーザ選択部２５ｂで選択されたユーザのＩＤに対応する許可情報（フラグ情報）の値が「１」であるか否かが判断される。
【００３９】
例えば、通話キー１６ｂが押下された時点で選択されていたユーザが、図７のアドレス帳画面Ｗ２１中で斜線が付してあるユーザである場合には、ステップＳ２２の判断結果が「ＹＥＳ」になり、制御部２５の制御の下で擬似通話部２５ａによる擬似通話処理が開始される（ステップＳ２３：制御ステップ）。つまり、第１実施形態と同様に、擬似的な着信音を発生させることなく、メモリ２４に記憶されている音声データを読み出し、読み出した音声データをアナログ信号に変換し、変換したアナログ信号をスピーカ１５に出力する処理が行われる。尚、擬似通話が開始されると、携帯電話機１の表示部１４には、図７に示す音声通話中画面Ｗ２２が表示される。
【００４０】
擬似通話が行われている間は、通話キー１６ｂが押下されたか否かが制御部２５によって判断される（ステップＳ２４）。この判断結果が「ＮＯ」である場合には、擬似通話処理が継続される（ステップＳ２３）。これに対し、ユーザが通話キー１６ｂを押下すると、ステップＳ２４の判断結果が「ＹＥＳ」になり、制御部２５の制御の下で、無線通信部２２による発呼処理が行われる（ステップＳ２５）。発呼処理が行われている間は、図７に示す発信画面Ｗ２３が携帯電話機１の表示部１４に表示される。
【００４１】
無線通信部２２による発呼処理が行われている最中は、制御部２５は相手からの応答の有無を判断する（ステップＳ２６）。相手からの応答が無い場合（判断結果が「ＮＯ」の場合）には、擬似通話処理が継続される（ステップＳ２３）。これに対し、相手からの応答があった場合（判断結果が「ＹＥＳ」の場合）には、制御部２５の制御の下で、実際の通話を行うための通話処理が無線通信部２２で行われる（ステップＳ２７）。尚、実際の通話が可能な状態になると、図７に示す音声通話中画面Ｗ２４が表示部１４に表示される。
【００４２】
一方、ステップＳ２２において、許可情報が登録されておらず擬似通話が許可されていないユーザであると判断された場合（判断結果が「ＮＯ」である場合）には、制御部２５の制御の下で、無線通信部２２による発呼処理が行われる（ステップＳ２８）。そして、応答があった場合（判断結果が「ＹＥＳ」の場合）には、制御部２５の制御の下で、実際の通話を行うための通話処理が無線通信部２２で行われ（ステップＳ２７）、応答がない場合には、図６に示す一連の処理が終了する。
【００４３】
以上説明した通り、本発明の第１実施形態では、携帯電話機１のユーザによって擬似通話キー１６ｅが押下された場合に、制御部１５が擬似通話部２５ａに対する起動制御を行って、擬似的な着信音を発生させることなく擬似通話を実現させている。また、本発明の第２実施形態では、携帯電話機１のユーザによって通話キー１６ｂが押下された場合であって、擬似通話が許可されたユーザが選択されたときにには、制御部１５が擬似通話部２５ａに対する起動制御を行って、擬似的な着信音を発生させることなく擬似通話を実現させている。このため、ユーザがキー操作部１６に設けられたキーに対する煩雑な操作をすることなく速やかに擬似通話を行うことができる。この結果として、短時間且つ自然に擬似通話に移行できるため防犯効果を高めることができる。
【００４４】
以上、本発明の一実施形態による擬似通話装置及び方法について説明したが、本発明は上記実施形態に制限されず、本発明の範囲内で自由に変更が可能である。例えば、第１実施形態では擬似通話を行うための専用の擬似通話キー１６ｅを設ける例について説明した。しかしながら、第１実施形態においても、第２実施形態と同様に、例えば通話キー１６ｂが擬似通話キーを兼ね備えるようにし、通話キー１６ｂが押下された場合には通常の通話を実現する制御を行い、通話キー１６ｂが長押しされた場合に擬似通話を実現する制御を行うようにしても良い。
【符号の説明】
【００４５】
１６      キー操作部
１６ａ    テンキー
１６ｂ    通話キー
１６ｅ    擬似通話キー
２４      メモリ
２５      制御部
２５ａ    擬似通話部
２５ｂ    ユーザ選択部
【図１】
2011009944.tif 000003
【図２】
2011009944.tif 000004
【図３】
2011009944.tif 000005
【図４】
2011009944.tif 000006
【図５】
2011009944.tif 000007
【図６】
2011009944.tif 000008
【図７】
2011009944.tif 000009